(57)【要約】【課題】不要な電力の消費を防止する自動取引装置を提供する。【解決手段】取引を選択する顧客の操作を顧客操作表示ユニット１１で受け付けたとき、制御部１７が、選択された取引に基づいて電源供給テーブルを検索し、その選択された取引を行うために電源供給が必要なユニットを抽出し、そのユニットだけに電源を供給する指示を電源供給部１５に通知するようにした。【選択図】        図１
2007323230.tif 000002
【特許請求の範囲】
【請求項１】
複数のユニットで構成され、顧客操作表示ユニットに表示された取引選択画面で取引を選択する顧客の操作を受け付けて取引を行う自動取引装置において、
通知された指示にしたがってユニット毎に電源の供給、またはその停止を行う電源供給部と、
取引毎に電源供給が必要なユニットを予め記憶部に記憶した電源供給テーブルと、
取引を選択する顧客の操作を顧客操作表示ユニットで受け付けたとき、選択された取引に基づいて前記電源供給テーブルを検索して電源供給が必要なユニットを抽出し、そのユニットだけに電源を供給する指示を前記電源供給部に通知する制御部とを設けたことを特徴とする自動取引装置。
【請求項２】
請求項１の自動取引装置において、
顧客の接近を検知する接近検知手段が予め記憶部に記憶された所定の時間を超えても顧客の接近を検知しなかった場合、前記制御部が、前記電源供給部へ所定のユニットに電源の供給を停止する指示を通知し、消費電力を低くするようにしたことを特徴とする自動取引装置。
【請求項３】
請求項２の自動取引装置において、
顧客の接近を検知する接近検知手段で顧客の接近を検知したとき、前記制御部が、前記電源供給部へ顧客操作表示ユニットだけに電源を供給する指示を通知し、取引を選択する顧客の操作を受付けるようにしたことを特徴とする自動取引装置。
【発明の詳細な説明】
【技術分野】
【０００１】
本発明は、消費者金融会社等に設置され、顧客の操作を受け付けて各種契約取引を行なう無人契約端末や銀行等の金融機関に設置され、顧客の操作を受け付けて現金の支払いや預け入れ等の取引を行なう現金自動預払機等の自動取引装置に関し、特に不要な電力を消費しない低消費電力モードの運用を行う自動取引装置に関する。
【背景技術】
【０００２】
従来の自動取引装置は、操作する顧客の存否を検知する顧客検出センサおよび時間を計測するタイマを備え、その顧客検出センサにより顧客が存在しないことを検出してから所定の時間が経過したことをタイマで検知したとき、顧客の操作を誘導する画面を表示する表示ユニット等の各ユニットの電源供給を停止して不要な電力を消費しない低消費電力モードの運用を行うようにしている。そして、顧客の存在を顧客検出センサで検知したとき、低消費電力モードを解除し、各ユニットに電源を供給する通常の状態に戻して顧客の操作を受け付けるようにしている。
【０００３】
また、顧客が込み合う混雑時期と顧客が少なくなる閑散時期とを判定し、それぞれの時期に応じて顧客検出センサにより顧客が存在しないことを検出してから低消費電力モードの運用を開始するまでの時間を決定し、低消費電力化を図るとともに顧客に対して不安感や不信感を与えないようにしているものもある（例えば、特許文献１参照）。
【特許文献１】特開平１１−２５９７２９号公報（段落「００４０」〜段落「００４９」、図５）
【発明の開示】
【発明が解決しようとする課題】
【０００４】
しかしながら、上述した従来の技術においては、顧客の存在を顧客検出センサで検知し、低消費電力モードを解除して通常の状態に戻すとき、電源供給を停止した表示部、カードリーダユニット、入出金ユニットおよび通帳ユニット等のすべてのユニットに電源を供給するようにしているため、その顧客が希望する取引において使用しないユニット（例えば、通帳を使用しない取引における通帳を印字する通帳ユニット）にも電源を供給することとなり不要な電力を消費してしまうという問題がある。
【０００５】
本発明は、このような問題を解決することを課題とする。
【課題を解決するための手段】
【０００６】
そのため、本発明は、複数のユニットで構成され、顧客操作表示ユニットに表示された取引選択画面で取引を選択する顧客の操作を受け付けて取引を行う自動取引装置において、通知された指示にしたがってユニット毎に電源の供給、またはその停止を行う電源供給部と、取引毎に電源供給が必要なユニットを予め記憶部に記憶した電源供給テーブルと、取引を選択する顧客の操作を顧客操作表示ユニットで受け付けたとき、選択された取引に基づいて前記電源供給テーブルを検索して電源供給が必要なユニットを抽出し、そのユニットだけに電源を供給する指示を前記電源供給部に通知する制御部とを設けたことを特徴とする。
【発明の効果】
【０００７】
このようにした本発明は、不要な電力の消費を防止することができるという効果が得られる。
【発明を実施するための最良の形態】
【０００８】
以下、図面を参照して本発明による自動取引装置の実施例を説明する。
【実施例】
【０００９】
図２は実施例における自動取引システムの構成を示すブロック図、図１は実施例における自動取引装置の構成を示すブロック図、図３は実施例における電源供給テーブルの構成を示す説明図である。
まず、自動取引システムの構成を説明する。
図２において、１は自動取引装置であり、銀行等の金融機関に設置される現金自動預払機等の顧客の操作を受け付けて現金の引出しや預入れ等の取引を行うものである。この自動取引装置１は通信回線２に通信可能に接続されている。
【００１０】
本実施例では自動取引装置１は現金自動預払機として説明するが、消費者金融会社等に設置され、各種融資の契約処理を行う無人契約端末、および各種融資の相談処理を行う相談端末等であってもよい。
３はホストコンピュータであり、銀行等の金融機関の事務センタ等に設置される自動取引装置１の上位装置である。このホストコンピュータ３はＣＰＵ（Ｃｅｎｔｒａｌ  Ｐｒｏｃｅｓｓｉｎｇ  Ｕｎｉｔ）等の演算および制御手段である制御部、磁気ディスク、半導体メモリ等の記憶手段である記憶部、日付や時刻等を計測する手段である時計部および通信手段である通信部等を備えるものであり、通信回線２を介して自動取引装置１等と相互に通信可能に接続されている。
【００１１】
また、このホストコンピュータ３は自動取引装置１との間で現金引出し、現金預入れ、振込み等の取引電文の送受信を行い顧客の取引を成立させるか否かを判断するとともにその取引の処理を行う。
上述したように自動取引システムは通信回線２を介して相互に通信可能に接続された自動取引装置１、ホストコンピュータ３等で構成されたものである。
【００１２】
次に、自動取引装置の構成を説明する。なお、本実施例では上述したとおり現金自動預払機を自動取引装置としたもので説明する。
図２において、１１は顧客操作表示ユニットであり、タッチパネル等の操作部および液晶ディスプレイ等の表示部で構成されたものである。この顧客操作表示ユニット１１はＣＲＴディスプレイや液晶ディスプレイ等の表示部上にタッチパネルを配置し顧客が行なう入力操作等を検知するものであり、また、取引選択画面、顧客が選択した取引に対して顧客の入力操作等の誘導を行なう画面および入力された情報等を表示するものである。
【００１３】
顧客操作表示ユニット１１で検知した入力操作等は後述する制御部に信号を出力して通知する。
１２はカードリーダユニットであり、カード読取り書込み機構およびカード搬送機構等を備えたものである。このカードリーダユニット１２は、顧客によりカード挿入返却口に挿入されたカードをカード搬送機構により引き込み、そのカードの磁気ストライプやＩＣチップ等から口座番号等の口座情報をカード読取り書込み機構で読取る。口座情報を読取ったカードはカード搬送機構によりカード挿入返却口から排出して顧客に返却する。
【００１４】
１３は入出金ユニットであり、紙幣入出金機および硬貨入出金機で構成されたものである。この入出金ユニット１３は現金引出し取引や現金入金取引に伴う紙幣や硬貨の入出金処理を行なう。ここで、入金処理とは顧客が入出金口に入れた紙幣を紙幣入出金機で計数して金庫に収納し、入出金口に入れた硬貨を硬貨入出金機で計数して金庫に収納することである。また、出金処理とは顧客の操作により指定した金額に相当する紙幣および硬貨をそれぞれ紙幣入出金機および硬貨入出金機の金庫から繰り出して計数し入出金口に搬送して顧客に払い出すことである。
【００１５】
この入出金口は挿入された紙幣ならびに硬貨を検知する機構および搬送された紙幣ならびに硬貨の受取りを検知する機構を設けたものである。
なお、入出金ユニット１３は紙幣入出金機および硬貨入出金機で構成されたものに限られることなく、紙幣入出金機のみで構成されたものであってもよく、さらに、この入出金ユニット１３を備えないものであってもよい。
【００１６】
１４は通帳ユニットであり、通帳に貼付された磁気ストライプに記録された情報を読取り、また情報を磁気ストライプに書込む通帳読取り書込み機構、通帳挿入排出口から挿入された通帳を搬送する通帳搬送機構、および通帳に取引内容等を印字する通帳印字機構等を備えたものである。
この通帳ユニット１４は、顧客により通帳挿入排出口に挿入された通帳を通帳搬送機構により引き込み、その通帳の磁気ストライプから口座番号等の口座情報を通帳読取り書込み機構で読取る。口座情報を読取った通帳は取引内容を印字し、また必要な情報を通帳読取り書込み機構で磁気ストライプに書込み、その通帳を通帳搬送機構により通帳挿入排出口から排出して顧客に返却する。
【００１７】
１５は電源供給部であり、顧客操作表示ユニット１１、カードリーダユニット１２、入出金ユニット１３、および通帳ユニット１４の各ユニットに電源を供給するものである。この電源供給部１５は電源供給切替え機構を備え、ユニット毎に電源の供給、およびその停止を切り替えることができるものである。
ここで、ユニットとは、顧客操作表示ユニット１１、カードリーダユニット１２、入出金ユニット１３、および通帳ユニット１４等のように機能単位に分割された機器をいう。また、電源供給部１５で顧客操作表示ユニット１１、カードリーダユニット１２、入出金ユニット１３、および通帳ユニット１４のすべてのユニットに供給する電源を停止させている状態を低消費電力モードという。
【００１８】
１６は記憶部であり、半導体メモリや磁気ディスク等で構成され、情報を記憶し、また記憶した情報を読出すことができるものである。この記憶部１６には自動取引装置１全体の動作を制御する制御プログラム（ソフトウェア）、自動取引装置１が行う取引毎に電源を供給する必要があるユニットを記憶した電源供給テーブル、顧客操作表示ユニット１１に表示する画面データ、および顧客が行なう取引に必要な情報等を記憶する。
【００１９】
１７は制御部であり、ＣＰＵ等の演算および制御手段等で構成されたものである。この制御部１７は顧客操作表示ユニット１１、カードリーダユニット１２、入出金ユニット１３、通帳ユニット１４、電源供給部１５、記憶部１６および通信制御を行う図示しない通信部を含めて自動取引装置１全体の動作を記憶部１６に格納された制御プログラム（ソフトウェア）に基づいて制御する。また、制御部１７は顧客が自動取引装置１に接近したことを検知する超音波センサ等で構成された近接センサである接近検知手段や時間の経過を計測する手段であるタイマ機能も有している。
【００２０】
次に、記憶部１６に記憶する電源供給テーブルを説明する。
図３において、３０は電源供給テーブルであり、自動取引装置１が行う取引毎に電源を供給する必要があるユニットを記憶するものであり、記憶部１６に予め記憶されるものである。
３１は取引種別であり、カード支払い、通帳支払い等の自動取引装置１で行うことができる取引の種別を表すものである。
【００２１】
このように電源供給テーブル３０は取引種別３１ごとにカードリーダユニット１２、入出金ユニット１３、および通帳ユニット１４の電源供給の要否を記憶するものである。
例えば、取引種別３１がカード支払い取引である場合、カードリーダユニット１２の電源供給は「必要」、入出金ユニット１３の電源供給も「必要」、通帳ユニット１４の電源供給は「不要」であることを示し、また取引種別３１が通帳支払い取引である場合、カードリーダユニット１２の電源供給は「不要」、入出金ユニット１３の電源供給も「必要」、通帳ユニット１４の電源供給は「必要」であることを示す。
【００２２】
上述した構成の作用について説明する。
まず、低消費電力モードへ移行する処理を図４の実施例における低消費電力モード移行処理を示すフローチャートのＳで表すステップにしたがって説明する。
なお、以下に説明する各ユニット、各部の動作は、図示しないメモリや磁気ディスク等の記憶手段に格納されたプログラム（ソフトウェア）に基づいて図示しない中央処理装置等の制御手段により制御される。
【００２３】
Ｓ１ａ：制御部１７は近接センサにより顧客が自動取引装置１に接近したか否かを検知する。顧客の接近を検知すると処理をＳ２ａへ移行し、顧客の接近を検知しないとＳ３ａへ処理を移行する。
Ｓ２ａ：顧客の接近を検知すると制御部１７の指示により顧客操作表示ユニット１１は取引を選択するための取引選択画面を表示する。この取引選択画面は「いらっしゃいませ  ご希望のお取引ボタンを押してください」等の文言、および「カード支払い」ボタン、「通帳支払い」ボタン等の取引ボタンで構成されたものである。
【００２４】
取引ボタンの押下を検知すると制御部１７は押下された取引ボタンに対応する取引を実行する。
Ｓ３ａ：Ｓ１ａにおいて顧客の接近を検知しないと制御部１７は取引の選択を受け付けることができるようになってから（例えば、直前の取引を行った顧客が自動取引装置１から離れたことを近接センサで検知してから）経過した時間が所定の時間、すなわち閾値を経過したか否かを判定する。なお、この閾値は予め記憶部１６に記憶されているものとする。
【００２５】
所定の時間を経過していないと判定されると処理をＳ１ａへ移行し、経過していると判定されるとＳ４ａへ処理を移行する。
Ｓ４ａ：取引の選択を受け付けることができるようになってから経過した時間が所定の時間を経過したと判定すると制御部１７は低消費電力モードへ移行する処理を行う。
ここで、低消費電力モードへ移行する処理を図５の実施例における低消費電力モード移行処理の説明図にＳで表すステップにしたがって説明する。
【００２６】
Ｓ１１ａ：制御部１７はユニット１（例えば、顧客操作表示ユニット１１）へ電源の供給を停止する旨を通知する（省エネ準備）電文を送信する。
Ｓ１２ａ：電源の供給を停止する旨を通知する（省エネ準備）電文を受信したユニット１は動作中のアクチュエータ等を停止させ電源を切断することが可能な状態にし、電源の供給を停止することが可能である旨を通知する（省エネ準備完了）電文を送信する。
【００２７】
Ｓ１３ａ：ユニット１から電源の供給を停止することが可能である旨を通知する（省エネ準備完了）電文を受信した制御部１７はユニット２（例えば、カードリーダユニット１２）へ電源の供給を停止する旨を通知する（省エネ準備）電文を送信する。
Ｓ１４ａ：電源の供給を停止する旨を通知する（省エネ準備）電文を受信したユニット２は動作中のアクチュエータ等を停止させ電源を切断することが可能な状態にし、電源の供給を停止することが可能である旨を通知する（省エネ準備完了）電文を送信する。
【００２８】
同様に、制御部１７は自動取引装置１に備えられた電源の供給を停止することが可能なすべてのユニット（例えば、入出金ユニット１３、通帳ユニット１４）に電源の供給を停止する旨を通知する（省エネ準備）電文を送信し、そのユニットから電源の供給を停止することが可能である旨を通知する（省エネ準備完了）電文を受信する。
なお、制御部１７、電源供給部１５、および記憶部１６は電源の供給を停止することができないユニットであるものとする。
【００２９】
Ｓ１５ａ：制御部１７は電源の供給を停止することが可能なすべてのユニット（例えば、顧客操作表示ユニット１１、カードリーダユニット１２、入出金ユニット１３、および通帳ユニット１４）の電源の供給を停止させる旨を通知する（省エネ実行）電文を電源供給部１５へ送信する。
Ｓ１６ａ：電源の供給を停止させる旨を通知する電文を受信した電源供給部１５は電源の供給を停止することが可能なすべてのユニットへの電源の供給を停止する。
【００３０】
Ｓ１７ａ：すべてのユニットへの電源の供給を停止した電源供給部１５は電源の供給を停止した旨を通知する（省エネ実行完了）電文を制御部１７へ送信する。
このようにして自動取引装置１は所定の時間が経過しても顧客の接近を検知しない場合、低消費電力モードへ移行する。
次に、低消費電力モードを解除する処理を図６の実施例における低消費電力モード解除処理を示すフローチャートのＳで表すステップにしたがって説明する。
【００３１】
なお、自動取引装置１は低消費電力モードに移行しているものとする。
Ｓ１ｂ：制御部１７は顧客が自動取引装置１に接近することを待機する。制御部１７が近接センサにより顧客の接近を検知すると処理をＳ２ｂへ移行する。
Ｓ２ｂ：顧客の接近を検知すると制御部１７は顧客操作表示ユニット１１に電源を供給する処理を行う。
【００３２】
ここで、制御部１７が行う電源供給処理を図７の実施例における電源供給処理の説明図のＳで表すステップにしたがって説明する。
Ｓ１１ｂ：制御部１７は電源供給部１５へ顧客操作表示ユニット１１（ユニット）に電源を供給する旨を通知する（省エネ解除）電文を送信する。
Ｓ１２ｂ：電源を供給する旨を通知する（省エネ解除）電文を受信した電源供給部１５は顧客操作表示ユニット１１に電源を供給する。
【００３３】
Ｓ１３ｂ：顧客操作表示ユニット１１に電源を供給すると電源供給部１５は制御部１７へ電源を供給した旨を通知する（省エネ解除完了）電文を送信する。
Ｓ１４ｂ：電源を供給した旨を通知する（省エネ解除完了）電文を受信した制御部１７は顧客操作表示ユニット１１へ操作の受付および情報の表示等の準備を行う旨を通知する（初期化）電文を送信する。
【００３４】
Ｓ１５ｂ：操作の受付および情報の表示等の準備を行う旨を通知する（初期化）電文を受信した顧客操作表示ユニット１１は操作の受付および情報の表示等を可能にする準備を行い、準備が完了した旨を通知する（初期化完了）電文を制御部１７へ送信する。
このようにして顧客操作表示ユニット１１に電源を供給し、顧客へ操作を誘導する画面の表示および顧客による操作を受付けることができるようにする。
【００３５】
図６に戻り、Ｓ３ｂ：制御部１７の指示により顧客操作表示ユニット１１は顧客が希望する取引を選択可能にする取引選択画面を表示する。この取引選択画面は「いらっしゃいませ  ご希望のお取引ボタンを押してください」等の文言、および「カード支払い」ボタン、「通帳支払い」ボタン等の取引ボタンで構成されたものであることは上述したとおりである。
【００３６】
ここで、顧客は取引ボタンを押下するものとする。
取引ボタンの押下を検知すると制御部１７は記憶部１６に記憶された電源供給テーブル３０の取引種別３１を押下された取引ボタンに対応する取引種別に基づいて検索し、電源を供給する必要があるユニットを抽出する。
例えば、「カード支払い」ボタンの押下を検知した場合、制御部１７は電源供給テーブル３０を参照してカードリーダユニット１２、および入出金ユニット１３に電源を供給する必要があることを抽出する。また、「通帳支払い」ボタンの押下を検知した場合、制御部１７は電源供給テーブル３０を参照して入出金ユニット１３、および通帳ユニット１４に電源を供給する必要があることを抽出する。
【００３７】
Ｓ４ｂ：電源を供給する必要があるユニットを抽出すると制御部１７はそのユニットに電源を供給する電源供給処理を行う。なお、この電源供給処理は上述したＳ１１ｂからＳ１５ｂと同様なのでその説明を省略する。
Ｓ５ｂ：電源供給処理が完了すると制御部１７は選択された取引処理を行う。
例えば、「カード支払い」ボタンの押下を検知した場合、制御部１７の指示を受けてカードの挿入をカードリーダユニット１２で受付け、また支払い金額等の入力を顧客操作表示ユニット１１で受付け、さらに入出金ユニット１２で紙幣等の出金処理を行うカード支払い取引の処理を実行する。
【００３８】
このようにして顧客の操作により選択された取引を行うために必要なユニットだけに電源を供給し、低消費電力モードを解除する。
なお、本実施例では自動取引装置１を現金自動預払機として説明したが、自動取引装置１を無人契約端末や相談端末とした場合、申込書スキャナユニット、申込書印字ユニット、カード発行ユニット、証明書印字ユニット等のユニットで構成されるものとする。
【００３９】
このように構成された無人契約端末や相談端末も現金自動預払機と同様に取引を行うために必要なユニットだけに電源を供給し、低消費電力モードを解除するようにすることができる。例えば、無人契約端末において契約が完了している顧客の取引を受け付ける場合、カードを発行する必要がないのでカード発行ユニットに電源を供給することなく、申込書スキャナユニット、申込書印字ユニット、証明書印字ユニットに電源を供給して低消費電力モードを解除するようにすることができる。
【００４０】
以上説明したように、本実施例では、低消費電力モードを解除するとき、顧客が希望する取引において使用するユニットだけに電源を供給するようにしたことにより、不要な電力の消費を防止することができるという効果が得られる。
また、電気料金の低減を図ることができるという効果が得られる。
さらに、各ユニットの寿命を延ばすことができるという効果が得られる。
【図面の簡単な説明】
【００４１】
【図１】実施例における自動取引装置の構成を示すブロック図
【図２】実施例における自動取引システムの構成を示すブロック図
【図３】実施例における電源供給テーブルの構成を示す説明図
【図４】実施例における低消費電力モード移行処理を示すフローチャート
【図５】実施例における低消費電力モード移行処理の説明図
【図６】実施例における低消費電力モード解除処理を示すフローチャート
【図７】実施例における電源供給処理の説明図
【符号の説明】
【００４２】
１    自動取引装置
２    通信回線
３    ホストコンピュータ
１１  顧客操作表示ユニット
１２  カードリーダユニット
１３  入出金ユニット
１４  通帳ユニット
１５  電源供給部
１６  記憶部
１７  制御部
３０  電源供給テーブル
【図１】
2007323230.tif 000003
【図２】
2007323230.tif 000004
【図３】
2007323230.tif 000005
【図４】
2007323230.tif 000006
【図５】
2007323230.tif 000007
【図６】
2007323230.tif 000008
【図７】
2007323230.tif 000009